(57)【特許請求の範囲】
【請求項１】
型枠プレートに対して結合手段により結合され、前記型枠プレートに対向する対向面と、硬化するコンクリートに接するコンクリート処理面とを有する天然材料から成る棒状芯材を備えた表面処理材であって、
前記棒状芯材の少なくとも前記コンクリート処理面には、長手方向に亘り塗装材が塗布されており、前記棒状芯材の前記対向面が平坦面に構成され、前記対向面の長手方向に幅方向中央部を除いて前記塗装材が塗布されて塗装層が形成されており、該塗装層の厚みにより溝部が形成されていることを特徴とする表面処理材。
【請求項２】
前記棒状芯材の前記対向面には、長手方向に幅方向両端部を残して溝部が形成されていることを特徴とする請求項１に記載の表面処理材。
【請求項３】
型枠プレートに対して結合手段により結合され、前記型枠プレートに対向する対向面と、コンクリート処理面とを有する天然材料から成る棒状芯材の前記対向面に対し、該対向面の幅方向中央側にマスキング材を仮止めする工程と、
前記棒状芯材の少なくとも外周面全面に塗装材を塗布する工程と、
前記塗装材の乾燥後に前記マスキング材を前記棒状芯材の前記対向面より取り外す工程と、を有することを特徴とする表面処理材の製造方法。
【発明の詳細な説明】
【技術分野】
【０００１】
本発明は、一般に面木及び目地棒などと称されるコンクリート型枠に用いられる表面処理材及びその製造方法に関する。
【背景技術】
【０００２】
コンクリートを用いて壁や床などを形成する際、コンクリートの硬化時において水分や熱の影響で収縮亀裂が発生する虞がある。この様な亀裂の発生を防止する対策として、コンクリート壁の表面に目地を形成し、この目地内で収縮亀裂を敢えて誘発させ、コンクリート壁表面の亀裂の発生を防止する工法があり、この工法には、コンクリート型枠と伴に表面処理材として目地棒等が用いられる。目地棒は、主に断面が台形等に形成された棒材であり、コンクリートを流し込む型枠プレートの内面に予め釘等の結合手段により固定され、型枠プレートを外したコンクリート表面に目地棒の部分が凹部として現れコンクリートに筋状の目地を形成することができる。また、コンクリート表面の角の面取りには、前記した表面処理材として断面が直角三角形の面木が用いられるのが一般的である。
【０００３】
従来の目地棒は主に木材により形成されるが、木材の性質上、硬化前の液状のコンクリートが染み込みやすい。そのため、木材に染み込んで硬化したコンクリートが硬化後のコンクリート表面と一体化して目地棒及び型枠を剥がし辛いという問題があった。
【０００４】
そこで、硬化後のコンクリート表面から目地棒を剥がし易くするために、目地棒をプラスチック等の合成樹脂により形成することで、硬化前のコンクリートの染み込みを防止したものがある（例えば、特許文献１参照）。
【先行技術文献】
【特許文献】
【０００５】
【特許文献１】特開平１１−１４１１２１号公報（第２頁、第１図）
【発明の概要】
【発明が解決しようとする課題】
【０００６】
型枠と目地棒は、耐久性の観点から数回の使用後に廃棄されるようになっているが、特許文献１のような合成樹脂で形成された目地棒は焼却時にダイオキシン等の有害物質が大量に発生する虞があることから、廃棄の際には分別のため目地棒を型枠プレートから取り外す作業が必要となり、撤去作業が煩雑であった。
【０００７】
本発明は、このような問題点に着目してなされたもので、硬化後のコンクリート表面から型枠プレートとともに容易に剥がすことができ、かつ型枠プレートと一体に焼却可能である表面処理材及びその製造方法を提供することを目的とする。
【課題を解決するための手段】
【０００８】
前記課題を解決するために、本発明の表面処理材は、
型枠プレートに対して結合手段により結合され、前記型枠プレートに対向する対向面と、硬化するコンクリートに接するコンクリート処理面とを有する天然材料から成る棒状芯材を備えた表面処理材であって、
前記棒状芯材の少なくとも前記コンクリート処理面には、長手方向に亘り塗装材が塗布されており、前記棒状芯材の前記対向面が平坦面に構成され、前記対向面の長手方向に幅方向中央部を除いて前記塗装材が塗布されて塗装層が形成されており、該塗装層の厚みにより溝部が形成されていることを特徴としている。
この特徴によれば、コンクリート処理面に塗装材を塗布するのみで、天然材料から成る棒状芯材への硬化前のコンクリートの染み込みを防止できる。そのため、焼却時の有害物質の発生を抑えられ、目地棒を型枠プレートから取り外すことなく焼却することができる。また、結合手段による型枠プレートと棒状芯材との結合力が対向面の幅方向両端縁に位置する塗装層が型枠プレートに圧着してシール材として機能するため、対向面と型枠プレートとの間への硬化前のコンクリートの流入を確実に防止できる。
【０００９】
前記棒状芯材の前記対向面には、長手方向に幅方向両端部を残して溝部が形成されていることを特徴としている。
この特徴によれば、前記結合手段による圧力により、棒状芯材が対向面の溝部を除く幅方向両端部において型枠プレートに集中して懸るため、棒状芯材の対向面と型枠プレートとの間への硬化前のコンクリートの流入を防止でき、型枠プレートと表面処理材との間に侵入するように延びるコンクリート硬化片の発生を確実に阻止できることになる。
【００１１】
前記課題を解決するために、本発明の表面処理材の製造方法は、
型枠プレートに対して結合手段により結合され、前記型枠プレートに対向する対向面と、コンクリート処理面とを有する天然材料から成る棒状芯材の前記対向面に対し、該対向面の幅方向中央側にマスキング材を仮止めする工程と、
前記棒状芯材の少なくとも外周面全面に塗装材を塗布する工程と、
前記塗装材の乾燥後に前記マスキング材を前記棒状芯材の前記対向面より取り外す工程と、を有することを特徴としている。
この特徴によれば、マスキング材により遮蔽されて、塗装材が塗布されなかった部分すなわち棒状芯材の対向面の幅方向中央側と、塗装材が塗布された対向面の幅方向両端縁とで溝部を形成することができるため、対向面の幅方向両端縁のみに塗装材を塗布する工程を簡単に行うことができる。そして、結合手段による圧力が対向面の溝部を除く幅方向両端部で棒状芯材を型枠プレートに対して圧接するため、棒状芯材の対向面と型枠プレートとの間への硬化前のコンクリートの流入を防止できる。
【図面の簡単な説明】
【００１４】
【図１】実施例における建物等の基礎工事を示す斜視図である。
【図２】硬化したコンクリートの上にさらにコンクリートを打設する様子を示す斜視図である。
【図３】目地棒及び内枠を示す分解斜視図である。
【図４】内枠に目地棒を配置した状態を示す上面断面図である。
【図５】内枠に目地棒を釘により固定した状態を示す上面断面図である。
【図６】（ａ）は、棒状芯材に被膜を吹付け塗装した状態を示す斜視断面図であり、（ｂ）は、対向面の中央部の被膜を除去した状態を示す斜視断面図である。
【図７】（ａ）は、目地棒の製造方法の変形例１における棒状芯材の外周面の全面に被膜を形成した状態を示す上面断面図であり、（ｂ）は、（ａ）の状態から溝部を形成した状態を示す上面断面図である。
【図８】（ａ）は、目地棒の製造方法の変形例２における棒状芯材に溝部を形成した状態を示す上面断面図であり、（ｂ）は、（ａ）の状態から棒状芯材の外周面の全面に被膜を形成した状態を示す上面断面図である。
【図９】内枠に面木を釘により固定した状態を示す上面断面図である。
【図１０】面木の変形例を示す上面断面図である。
【発明を実施するための形態】
【００１５】
本発明に係るコンクリート型枠に用いられる表面処理材及びその製造方法を実施するための形態を実施例に基づいて以下に説明する。
【実施例】
【００１６】
実施例に係るコンクリート型枠に用いられる表面処理材及びその製造方法につき、図１から図１０を参照して説明する。
【００１７】
図１に示されるように、一般的に、建物などを建築する際には、その土台として鉄筋（図示せず）やコンクリート２などを用いて強固に形成されたコンクリート壁が必要となる。このコンクリート壁は、型枠プレートとしての複数の内枠３，３，…と外枠４，４，…とを離間して並設するとともに、内枠３，３，…と外枠４，４，…との間に前記鉄筋を敷設し、硬化前のコンクリートを流し込み、養生させることで硬化したコンクリート２を形成するというような基礎工事により構築される。
【００１８】
各内枠３及び各外枠４は、表面に耐水処理が施された木板である。また、各内枠３及び各外枠４のコンクリート２に接する側の側面３ａ，４ａには、硬化したコンクリート２の表面２ａに目地５（図２参照）を形成するための表面処理材としての目地棒１，１，…が複数個ずつ固定されており、コンクリート２に接する側の側面３ａ，４ａ同士が対向するように各内枠３及び各外枠４が並列される。尚、本実施例では、各内枠３及び各外枠４に対して縦方向を向くように目地棒１，１，…が固定されている。さらに尚、各内枠３及び各外枠４に対する目地棒１の数量及び配置は、作業者により適宜設定される。
【００１９】
図２に示されるように、硬化したコンクリート２の上にさらに硬化前のコンクリートを打設し、基礎を高くする際には、各内枠３及び各外枠４を硬化したコンクリート２から取外し、上方へと重ねて配置して新たな硬化前のコンクリートを打設するようになっている。このように各内枠３及び各外枠４は、劣化するまで再利用可能となっている。
【００２０】
また、各内枠３及び各外枠４の間で硬化したコンクリート２の表面２ａから各内枠３及び各外枠４が取外されることにより、コンクリート壁が形成され、当該コンクリート壁には、目地棒１，１，…が配されていた箇所に目地５，５，…が形成されることとなる。この目地５は、硬化したコンクリート２の伸縮に伴い生じる亀裂を集中させる機能を有しており、コンクリート壁が形成された際に目地５，５，…に対して予めシーリング剤を充填しておくことで、コンクリート壁の破損や亀裂の露見を防止することができる。尚、目地５は、必ずしも機能性を有する必要はなく、単に美観向上のために形成されてもよい。
【００２１】
図３及び図４に示されるように、目地棒１は、断面視略台形形状を成す細長い棒状芯材６と、棒状芯材６の外周面を覆う塗装層としての被膜７と、から主に構成されている。この棒状芯材６は、木材から構成されており、内枠３または外枠４と対向する平坦面である対向面６ａがコンクリート２側の先端面６ｂよりも幅広となっている。尚、本実施例における棒状芯材６を構成する木材は、杉などの無垢材としているが、この木材は、無垢材に限られず、他の木材、竹材、紙材、穀物類、シラスなどの鉱物や火山灰等の天然素材でもよいし、これら天然素材を主成分（全成分の５０％以上）とした合板や集成材等であってもよい。本発明で天然材料とは、上記した天然素材、あるいは天然素材を主成分とした材料を意味する。また、後述するように、棒状芯材６における先端面６ｂと側面６ｄ，６ｄと（換言すれば、対向面６ａ以外の面）は、コンクリート２と当接するコンクリート処理面となっている。このように、芯材として木製の棒状芯材６を使用するため、安価に製造できるとともに、施工時の加工を行い易い。尚、棒状芯材６は、断面視台形形状を成すものに限られず、例えば、断面視矩形状や三角形状であってもよい。
【００２２】
また、被膜７は、例えば、アクリル・ウレタン等の合成樹脂を含有した塗装材が対向面６ａの中央部６ｃを除いた棒状芯材６の外周面に対して塗布されることで若干の厚みを有して形成されている。これにより、棒状芯材６における対向面６ａ側の幅方向の両縁を被覆する被膜７ａ，７ａと、被膜７が設けられていない棒状芯材６における対向面６ａの中央部６ｃとの段差により、長手方向に沿って溝部９が形成されている。また、被膜７は、若干の厚みを有して形成されているため、若干弾性を有している。尚、ここでは、解り易く説明するために被膜７の厚みを実際より厚く表現している。
【００２３】
続いて、目地棒１を内枠３に取付ける態様について説明する。尚、以下、１つの内枠３における１つの目地棒１について説明する。図４に示されるように、先ず、目地棒１を内枠３の側面３ａに棒状芯材６の対向面６ａ側が対向するように配置する。このとき、棒状芯材６における対向面６ａ側の両縁を被覆する被膜７ａ，７ａが、内枠３の側面３ａに当接していることにより、対向面６ａの中央部６ｃが内枠３の側面３ａから離間している。
【００２４】
次に、図５に示されるように、目地棒１と内枠３とを結合する結合手段としての釘１０により、目地棒１を内枠３の側面３ａに取付ける。目地棒１が取付けられた内枠３は適宜配置され、硬化前のコンクリートが流し込まれる。前述のように、目地棒１を構成する木製の棒状芯材６の先端面６ｂと側面６ｄ，６ｄとは、被膜７により被覆されているため、棒状芯材６に対して硬化前のコンクリートが染み込むことによる一体化を防ぐことができ、硬化したコンクリート２からの目地棒１及び内枠３の剥離作業が容易となる。また、被膜７は、棒状芯材６を構成する木材の表面の凹凸を埋めるように塗装され、その表面を滑らかな面とすることにより硬化したコンクリート２からの剥離性が高くなっており、更に剥離作業が容易となる。また、コンクリート２から内枠３が剥離されたときの目地５の仕上がりが向上する。
【００２５】
また、目地棒１は、棒状芯材６と被膜７とが吹付け塗装により一体となっている。そのため、棒状芯材６に対して別体の合成樹脂のシート材を接着剤等により取付ける態様に比べて、木製の棒状芯材６に対する合成樹脂の量を小さくすることができる。そのため、目地棒１を安価に製造できるとともに、使用済みの目地棒１を焼却時におけるダイオキシン等の有害物質の発生を抑えることができる。
【００２６】
また、このように形成された目地棒１は、棒状芯材６に対する被膜７の割合が、目地棒１を廃棄時に一般廃棄物として廃棄できる所定値以下に抑えられている。これによれば、使用済みの目地棒１を内枠３から取り外すことなく一般廃棄物として廃棄処理できるため、廃棄処理にかかる手間を省いて廃棄コストを抑えることができ、且つ廃棄処理作業が容易である。
【００２７】
また、目地棒１と内枠３とは、結合時に釘１０による結合力により相互に近接されるようになる。これにより、図５の白矢印部分に示されるように、目地棒１と内枠３との相互近接による圧力が、溝部９を除く棒状芯材６の対向面６ａの両縁に集中して、被膜７ａ，７ａと内枠３とが圧接されるため、硬化前の流動性のあるコンクリートや該コンクリートが含有する水分等が、対向面６ａ及び内枠３の側面３ａの間に入り込まず、内枠３と目地棒１との間に侵入するように延びるコンクリート硬化片の発生を確実に阻止できることになる。したがって、硬化後のコンクリート２の表面２ａから内枠３及び目地棒１を剥がし易くすることができる。
【００２８】
また前述のように、被膜７は若干の厚みを有して形成され、若干弾性を有しているため、目地棒１と内枠３との相互近接により、被膜７ａ，７ａが棒状芯材６の対向面６ａと内枠３の側面３ａとの間で押し潰される。そのため、目地棒１と内枠３との間が密封され、対向面６ａ及び内枠３の側面３ａの間への硬化前のコンクリートの流入を確実に防止できる。さらに、硬化前のコンクリートを流し込むと、当該コンクリートの圧力によって目地棒１の被膜７ａ，７ａがさらに内枠３に押し潰されるため、目地棒１と内枠３との間の密封力が更に向上する。
【００２９】
また、被膜７は、吹付け塗装により棒状芯材６の外周面に形成されるため、木材で構成されることに起因する例えば棒状芯材６の反り等に合わせて均一に形成されることとなる。そのため、棒状芯材６の形状のバラつきに関わらず、被膜７ａ，７ａと溝部９とを、棒状芯材６の所定の位置に長手方向に沿って確実に形成することができる。
【００３０】
また、内枠３と棒状芯材６とは、ともに木材から構成されているため、硬化前のコンクリートが凝結・硬化する過程において発生する水和熱による内枠３及び棒状芯材６の収縮の度合が略同一となり、内枠３と棒状芯材６との長手方向の変形量をほぼ同量にできる。したがって、収縮による内枠３と棒状芯材６との相対的なずれが抑制され、釘１０に対して負荷が掛かることを防止できる。また、被膜７は、吹付け塗装により薄く形成することが可能であることから、被膜７の厚みが内枠３及び棒状芯材６の結合状態に影響を与えることがない。
【００３１】
尚、本実施例では、棒状芯材６における対向面６ａ側の幅方向の両縁に被膜７ａ，７ａが形成されていたが、これに限られず、棒状芯材６の外周面の全面が被膜７により被覆されてもよい。また、少なくとも棒状芯材６におけるコンクリート処理面である先端面６ｂ及び両側面６ｄ，６ｄが被膜７により被覆されていれば、棒状芯材６の対向面６ａに被膜７ａ，７ａを特段設けなくても構わない。
【００３２】
また、目地棒１を内枠３に結合する結合手段は、釘１０だけに限られず、例えば、ビスや取付け金具等であってもよいが、上述のように目地棒１を廃棄時に、目地棒１を内枠３から取り外すことなく一般廃棄物として廃棄できるように小型のものであることが好ましい。
【００３３】
次いで、目地棒１の製造方法について詳しく説明する。図６（ａ）に示されるように、先ず、棒状芯材６の対向面６ａの中央部６ｃに対して、棒状芯材６の対向面６ａの幅よりも細い養生テープ８を長手方向に沿って貼着する。その後、養生テープ８の上から棒状芯材６の全面に前記塗装材の吹付け塗装を行う。このとき、棒状芯材６の対向面６ａとマスキング材としての養生テープ８とが密着しているため、棒状芯材６の対向面６ａの中央部６ｃには、前記塗装材が直接塗布されないようになっている。そして、図６（ｂ）に示されるように、前記塗装材が乾燥して被膜７が形成された後に養生テープ８を剥がすことにより、対向面６ａの両縁に被膜７ａ，７ａが残されて溝部９が形成される。このように、養生テープ８により棒状芯材６の対向面６ａの中央部６ｃを一時的に遮蔽することで、対向面６ａ側の両縁に前記塗装材を塗布して容易に被膜７ａ，７ａを形成することができる。尚、塗装材の塗装は、吹付け塗装のみに限られず、例えば、ローラや刷毛などで塗装してもよいし、塗装材に浸け込むことで塗装（カーテンコーティング等を含む）してもよい。
【００３４】
尚、目地棒の製造方法における変形例１として次のようなものもある。例えば、図７（ａ）に示されるように、目地棒２１は、棒状芯材６の外周面の全面に前記塗装材を塗布して被膜７を形成した後、図７（ｂ）に示されるように、棒状芯材６の対向面６ａの中央部６ｃを被膜７ごと切削して溝部９１を形成している。これによれば、対向面６ａの幅方向の両縁のみに塗装材を残して簡単に被膜７ａ，７ａを形成できる。尚、対向面６ａの中央部６ｃの被膜７のみ切削して、対向面６ａの中央部６ｃと被膜７ａ，７ａとの段差により溝部を形成してもよい。
【００３５】
また、目地棒の製造方法における変形例２として次のようなものもある。例えば、図８（ａ）に示されるように、棒状芯材６の対向面６ａの中央部６ｃを切削して予め溝部９２を形成する。これにより、対向面６ａの幅方向両縁に凸条６１，６１が形成される。その後、図８（ｂ）に示されるように、棒状芯材６の外周面の全面に前記塗装材を塗布して被膜７を形成することで目地棒３１が構成される。これによれば、溝部９２を形成後に塗装材を塗布するのみで凸条６１，６１の対向面６ａ側に確実に被膜７ａ，７ａを形成でき、目地棒３１の製造が容易である。また、溝部９２が形成された棒状芯材６の外周面の全面が被膜７によって被覆されるため、棒状芯材６に対するコンクリート２の染み込みを確実に防止できる。
【００３６】
また、コンクリート２に処理を施す表面処理材は、目地棒１に限られず、次のようなものもある。図９に示されるように、角部を形成する内枠３，３におけるコンクリート２に接する側の側面３ａ，３ａには、表面処理材としての面木１００が取付けられている。この面木１００は、前記目地棒１と同様に棒状芯材６’と被膜７’とを備えている。この棒状芯材６’は、断面視略直角三角形を成しており、内枠３，３の側面３ａ，３ａにそれぞれ接する面が対向面６ａ’，６ａ’となっており、コンクリート２側がコンクリート処理面６ｂ’となっている。また、被膜７’は、コンクリート処理面６ｂ’と、対向面６ａ’，６ａ’におけるコンクリート処理面６ｂ’側の側縁とに亘って形成されている。そのため、棒状芯材６’の角部６ｃ’近傍には、溝部９’が長手方向に沿って形成されている。この面木１００により、コンクリート２の角部が面取りされるようになっている。
【００３７】
また、面木の変形例として次のようなものもある。図１０に示されるように、面木１００’における棒状芯材６’’は、内枠３，３の側面３ａ，３ａに接する基端面６１ａ，６２ａを有している。また、被膜７’’は、先端面６ｂ’と基端面６１ａとを被覆するようになっており、その両端部が基端面６２ａの両側縁に亘って形成されている。そのため、面木１００’の対向面１００ａ’における棒状芯材６’’の基端面６２ａの中央部には、溝部９’’が長手方向に沿って形成されている。このように、溝部９’’は、面木１００’の対向面１００ａ’側の一部に設けられていればよい。尚、釘１０は、溝部９’’を通して内枠３に打ち付けることが好ましい。
【００３８】
以上、本発明の実施例を図面により説明してきたが、具体的な構成はこれら実施例に限られるものではなく、本発明の要旨を逸脱しない範囲における変更や追加があっても本発明に含まれる。
【００３９】
例えば、前記実施例では、目地棒１に対して溝部９を形成する態様について説明したが、これに限られず、目地棒１に溝部９を特段設けず、型枠プレートに溝部を形成しても構わない。
【００４０】
また、前述のように、目地棒１が溝部９を有していれば、釘１０による結合力により溝部９を除く棒状芯材６の対向面６ａの両縁が内枠３の側面３ａに圧接されてコンクリートの回り込みを防ぐため、必ずしも被膜７を棒状芯材６の対向面６ａと内枠３の側面３ａとの間で弾性変形可能な厚みに形成する必要はない。
【符号の説明】
【００４１】
１                目地棒（表面処理材）
２                コンクリート
３                内枠（型枠プレート）
３ａ              内枠のコンクリートに接する側の側面
４                外枠（型枠プレート）
４ａ              外枠のコンクリートに接する側の側面
５                目地
６，６’，６’’    棒状芯材
６ａ，６ａ’      棒状芯材の対向面
６ｂ              棒状芯材の先端面（コンクリート処理面）
６ｂ’            コンクリート処理面
６ｃ              対向面の中央部
６ｃ’            棒状芯材の角部
６ｄ              棒状芯材の側面（コンクリート処理面）
７，７’，７’’    被膜（塗装層）
７ａ，７ａ        対向面側両縁の被膜
８                養生テープ（マスキング材）
９，９’，９’’    溝部
１０              釘（結合手段）
２１，３１        目地棒（表面処理材）
６１              凸条
６１ａ，６２ａ    棒状芯材の基端面
９１，９２        溝部
１００，１００’  面木（表面処理材）
１００ａ’        面木の対向面
【要約】
【課題】硬化後のコンクリート表面から型枠プレートとともに容易に剥がすことができ、かつ型枠プレートと一体に焼却可能である表面処理材及びその製造方法を提供すること。
【解決手段】型枠プレート３に対して結合手段１０により結合され、型枠プレート３に対向する対向面６ａと、硬化するコンクリートに接するコンクリート処理面６ｂ，６ｄとを有する天然材料から成る棒状芯材６を備えた表面処理材１であって、棒状芯材６の少なくともコンクリート処理面６ｂ，６ｄには、長手方向に亘り塗装材７が塗布されている。
【選択図】図３【図１】
0005734497.tif 000002
【図２】
0005734497.tif 000003
【図３】
0005734497.tif 000004
【図４】
0005734497.tif 000005
【図５】
0005734497.tif 000006
【図６】
0005734497.tif 000007
【図７】
0005734497.tif 000008
【図８】
0005734497.tif 000009
【図９】
0005734497.tif 000010
【図１０】
0005734497.tif 000011